(57)【要約】【課題】  リール脚部とリールシートとを伴握りする場合であっても、長時間の使用で痛くなる等の不都合を解消することが可能なリールシートを提供する。【解決手段】    シートベース４におけるリール脚載置面存在側とは竿軸芯を挟んで反対側に段差部４ｄを形成し、段差部４ｄに連なる小径部４ｃに可動フード５を外嵌装着する。リール脚７を押さえ保持するコマ部材８を可動フード５の保持フード部内に位置させる。コマ部材８をリール脚保持状態に維持するとともに、可動フード５がコマ部材８で保持されたリール脚７及び段差部４ｄに近接する方向に移動するのを許容する付勢バネ９を設けているリールシート。【選択図】  図２
2009296989.tif 000002
【特許請求の範囲】
【請求項１】
シートベースにリール脚保持用の一対のフードを設け、少なくとも一方のフードを前記シートベースの軸芯方向に移動自在な可動フードに構成してあるリールシートであって、
前記シートベースにおける前記一対のフード間にリール脚載置面を形成するとともに、前記シートベースにおける前記リール脚載置面存在側とは竿軸芯を挟んで反対側に段差部を形成し、前記段差部に連なる小径部に前記可動フードを外嵌装着し、前記リール脚を押さえ保持するコマ部材を前記可動フードの保持フード部内に位置させ、前記コマ部材を前記リール脚保持状態に維持するとともに、前記可動フードが前記コマ部材で保持されたリール脚及び前記段差部に近接する方向に移動するのを許容する付勢手段を設けているリールシート。
【請求項２】
前記シートベースにおける前記段差部に連なる大径部と、前記小径部に外嵌される前記可動フードの外周面部を同一外径又は略同一外径に形成してある請求項１記載のリールシート。
【請求項３】
前記可動フードを前記一対のフードのうちの相手側フードに対して遠近方向に移動駆動するナット体を前記小径部に形成したネジ部に螺合するとともに、前記可動フードと前記ナット体とにおける互いの連係部位近傍の外周面を面一又は略面一となる外径に形成してある請求項１又は２記載のリールシート。
【請求項４】
請求項１から３のうちのいずれか一つに記載のリールシートを備えた釣り竿。
【発明の詳細な説明】
【技術分野】
【０００１】
本発明は、シートベースにリール脚保持用の一対のフードを設け、少なくとも一方のフードを前記シートベースの軸芯方向に移動自在な可動フードに構成してあるリールシートに関する。
【背景技術】
【０００２】
本願発明のリールシートに相当するものとしては、竿体の所定箇所に装着された本願発明のシートベースに相当するリールシート（公報内番号：２）に、フード部としての移動フード（公報内番号：３）と固定フード（公報内番号：５）を備えるとともに、シートベースに形成した螺子部（公報内番号：２ａ）にナット（公報内番号：４）を螺着して、ナットを螺進移動させることによって、移動フードをリールシートの軸線方向にスライド移動可能に構成するものがある（特許文献１）。
【特許文献１】実開平７−６１号公報（段落〔０００８〕，図１）
【発明の開示】
【発明が解決しようとする課題】
【０００３】
上記構成にあっては、移動フード及び固定フード共に、リール脚を収納する為に大径に膨出形成されたフード部を備えている。そして、このフード部の大きな径で円筒状に形成されているので、その大径膨出部分が全周に亘って、シートベースより外側に突出する状態となっている。
したがって、シートベースの外周面と大径膨出部の外周面との間には、大きな段差部分が形成されている。このために、実際の釣り操作時において、リール脚部とリールシートとを伴握りする場合には、手指がこの段差部に掛かることとなり、手が圧迫感を受け、長時間の使用で痛くなる等の不都合を生ずるものであった。
【０００４】
本発明の目的は、可動フードとシートベースとの段差部分を出来るだけ解消し、リール脚部とリールシートとを伴握りする場合であっても、手が圧迫感を受け、長時間の使用で痛くなる等の不都合を解消することが可能なリールシートを提供する点にある。
【課題を解決するための手段】
【０００５】
〔構成〕
請求項１に係る発明の特徴構成は、前記シートベースにおける前記一対のフード間にリール脚載置面を形成するとともに、前記シートベースにおける前記リール脚載置面存在側とは竿軸芯を挟んで反対側に段差部を形成し、前記段差部に連なる小径部に前記可動フードを外嵌装着し、前記リール脚を押さえ保持するコマ部材を前記可動フードの保持フード部内に位置させ、前記コマ部材を前記リール脚保持状態に維持するとともに、前記可動フードが前記コマ部材で保持されたリール脚及び前記段差部に近接する方向に移動するのを許容する付勢手段を設けている点にあり、その作用効果は次の通りである。
【０００６】
〔作用〕
まず、シートベースにおける可動フードを装着する近傍に段差部を設けて、段差部に連なる小径部を形成し、その小径部に可動フードを外嵌装着する。そして、この可動フードの先端を段差部に当接させることによって、可動フードの外周面とシートベースにおける段差部に連なる大径部との段差が生ずることを抑制できる。
ただし、フードに保持されるリール脚の前後向き長さ、及び、厚さ等が異なるリール脚を保持すると、可動フードの先端が必ずしも段差部に当接する状態とはならない。
そこで、可動フード内にコマ部材を導入して、このコマ部材と可動フードとの間に付勢手段を設けた。
つまり、リール脚を保持する機能をコマ部材に持たせ、コマ部材の移動を可動フードで行うこととした。そして、コマ部材でリール脚を保持する状態を維持しながら、付勢手段の付勢力に抗して可動フードを移動させることが可能になった。
したがって、付勢手段が存在しない状態であれば、コマ部材がリール脚を保持した段階で可動フードもリール脚に近接する方向には移動できず、可動フードの先端とシートベースに設けた段差部との間には間隔が形成されたままになる。
しかし、前記したように付勢手段が設けてあるので、コマ部材がリール脚を保持した段階から更に可動フードを付勢力に抗して移動させることが可能となる。
これによって、可動フードの先端を段差部に十分近接、或いは、当接する状態が可能になる。
【０００７】
〔効果〕
このように、コマ部材と付勢手段の導入によって、可動フードの外周面とシートベースとの外径の違いを解消できる状態となった。
したがって、実際の釣り操作時において、リール脚部とリールシートとを伴握りする場合には、手指が段差部を感じることが少なく、手が圧迫感を受けにくくなるので、長時間の使用で痛くなる等の不都合を生ずるものではなくなった。
【０００８】
〔構成〕
請求項２に係る発明の特徴構成は、請求項１に係る発明において、前記シートベースにおける前記段差部に連なる大径部と、前記小径部に外嵌される前記可動フードの外周面部を同一外径又は略同一外径に形成してある点にあり、その作用効果は次の通りである。
【０００９】
〔作用効果〕
前記シートベースにおける前記段差部に連なる大径部と、前記小径部に外嵌される前記可動フードの外周面を同一外径又は略同一外径に形成してあるので、可動フードの先端が段差部に当接する状態となると、両面が面一状態となって、段差部は解消する。可動フードの先端が段差部に当接しないまでも、近接する状態にあれば、手指は両面に跨った状態であてがわれることとなる。
したがって、釣り操作時にリール脚部とリールシートとを伴握りする場合であっても、段差部を直接感知することはないので、従来のように、手を圧迫するようなことがなく、リール脚部とリールシートとを伴握りする手指の負担を軽減できる。
【００１０】
〔構成〕
請求項３に係る発明の特徴構成は、請求項１又は２に係る発明において、前記可動フードを前記一対のフードのうちの相手側フードに対して遠近方向に移動駆動するナット体を前記小径部に形成したネジ部に螺合するとともに、前記可動フードと前記ナット体とにおける互いの連係部位近傍の外周面を面一又は略面一となる外径に形成してある点にあり、その作用効果は次の通りである。
【００１１】
〔作用効果〕
リール脚とリールシートとを伴握りする手の掌が、可動フードとナット体との境界部位にあてがわれることとなるが、仮に、ナット体が可動フードの境界部位において大径であると、仕掛けを投入して巻き上げる毎に、掌に圧迫感を与えるとともに、掌がナット体に緩み方向の回転力を与えることがある。
これに対して、境界部位が面一で段差のない状態に形成されているので、手の掌を圧迫するようなことがなく、リール脚部とリールシートとを伴握りする手指の負担を軽減できるとともに、ナット体を緩み側に操作することが抑制され、リールのガタツキ等が回避しやすい。
【００１２】
〔構成〕
請求項４に係る発明の特徴構成は、請求項１から３のうちのいずれかひとつ記載のリールシートを備えた釣り竿である点にあり、その作用効果は次の通りである。
【００１３】
〔作用効果〕
手を痛くすることや圧迫することがなく、握り易いリールシートを備えているので、仕掛けの投入や魚の引き抜き操作に違和感を感じる事が少ない釣り竿を提供できるに至った。
【発明を実施するための最良の形態】
【００１４】
釣り竿Ａは、図１及び図２に示すように、元竿１の所定位置にリールシート２を装着して、構成してある。リールシート２は、竿先側に位置する固定フード３と、固定フード３を一体で形成してあるシートベース４と、固定フード３より竿元側に配置される可動フード５、可動フード５を駆動移動させるナット体６とを装備して構成してある。固定フード３と可動フード５とで、リール脚７の先部７Ａと元部７Ｂを保持する。
【００１５】
シートベース４の可動フード５の装着位置より竿元側には、小径のネジ部４Ａが形成してあり、ナット体６を螺着してある。
可動フード５とナット体６とは、可動フード５の元側係合縁５ａをナット体６の先側環状溝６ａに係合させて、ナット体６の相対回転を許しながら、可動フード５をスライド移動可能な構成を採っている。
可動フード５には、図示していないが、その可動フード５を元竿１の軸線方向に沿ってスライド移動させるべく、シートベース４の外周面に設けた係合溝に係合する係合突起が形成してある。
【００１６】
シートベース４の構成について説明する。
図２に示すように、シートベース４を、固定フード３と一体形成されている略平坦面状のリール脚載置部４ａと、リール脚載置部４ａの図面上で下方に位置する半円弧面状を呈するベース本体部４Ｂとで構成する。ベース本体部４Ｂには、軸線方向において大径の半円弧面状を呈する大径部４ｂと、元側に前記したネジ部４Ａと、大径部４ｂとネジ部４Ａとの間に半円弧面状を呈する小径部４ｃを形成してある。小径部４ｃに可動フード５を外嵌してある。大径部４ｂと小径部４ｃとの接続部位に段差部４ｄが形成してある。
【００１７】
可動フード５の構成について説明する。
図１〜図３に示すように、可動フード５は、シートベース４の小径部４ｃに外嵌される外周面部としての円弧状部分５Ａと、図面上で前記円弧状部分５Ａの上方に形成される略チャンネル断面状のフード部分５Ｂとで構成され、そのフード部分５Ｂでリール脚７を保持すべく構成してある。円弧状部分５Ａの外径は、前記シートベース４の大径部４ｂと同一の外径又は略同一の外径に形成されている。したがって、図２に示すように、可動フード５の円弧状部分５Ａにおける前記大径部４ｂに向かう先側端５ｂを段差部４ｄの壁面に当接させた状態で、前記シートベース４の大径部４ｂと円弧状部分５Ａの外周面が面一状態となる。
【００１８】
コマ部材８について説明する。
コマ部材８は前記略チャンネル断面状のフード部分５Ｂ内に位置し、フード部分５Ｂの内周面における左右両側面５ｄと上面５ｅに摺接する略矩形の断面形状を有しており、シートベース４のリール脚載置面４ａに支持された状態でスライド移動可能に保持されている。
コマ部材８の先側端には元側端に入り込む下向き凹入部８Ａを形成してあり、この下向き凹入部８Ａ内にリール脚７を挿入して、リールを可動フード５で押さえ保持できるように構成してある。
【００１９】
コマ部材８と可動フード５のフード部分５Ｂにおける奥壁５ｃとに亘って付勢手段としての付勢バネ９が装入してあり、付勢バネ９はコマ部材８をフード部分５Ｂからリール脚７に向けて相対移動させるように付勢している。付勢手段としては、コイルバネ、板バネ、皿バネ等を使用することができる。また、単なる矩形のゴムを使用してもよい。
コマ部材８の材質としては、金属、プラスティク等が使用可能であるが、圧縮変形が可能なプラスティクを使用する場合を除いて、金属等を使用した場合には、下向き凹入部８Ａの内面に、ゴムやスポンジ等の弾性緩衝材を内張りしてもよい。
【００２０】
以上のような構成において、使用形態を説明する。
（１）  図示してはいないが、可動フード５を固定フード３より離間させ、リール脚７の前脚部７Ａを固定フード３に収納しリール脚載置部４ａに載置してリールを支持する。
（２）  リールを支持した状態でナット体６を回転操作しながら可動フード５を一体的にスライド移動させる。フード部分５Ｂに保持されたコマ部材８も一体でスライド移動する。
（３）  可動フード５を移動させた状態でコマ部材８がリール脚７の後脚部７Ｂに当接した状態が図１に示す状態である。この場合には、コマ部材８の先端部８ａがフード部５Ｂの先端５ｄより突出する状態に描かれているが、付勢バネ９のバネ力、バネ長さ、コマ部材８とリール脚載置部４ａとの摩擦係数等によって、コマ部材８の位置は異なってくる。
（４）  この状態より更に、ナット体６を回転駆動することによって、コマ部材８はリール脚７に強く当接するだけで移動はしない。この場合には、図２に示すように、コマ部材８とフード部分５Ｂの間に位置する付勢バネ９が短縮し、可動フード５がコマ部材８に対して移動して、リール脚側に近接する。このような構成によって、可動フード５の円弧状部分５Ａの先側端５ｂを段差部４ｄの壁面に当接させることができる。
【００２１】
このように、コマ部材８がリール脚７を押さえて移動できない状態であっても、可動フード５を段差部４ｄ位置まで移動させることができる。これによって、可動フード５の円弧状部分５Ａとシートベース４の大径部４ｂとが面一状態となり、リール脚７とこの大径部４ｂを握る操作する、釣り人の手指を痛くしたり、圧迫するようなことがない。
【００２２】
〔別実施形態〕
（１）  フードの構成としては、一対のフードがいずれも可動フードであってもよい。
（２）  必ずしも、可動フード５とナット体６とにおける互いの連係部位近傍の外周面を面一又は略面一となる外径に形成する必要はない。
（３）    必ずしも、シートベース４における大径部４ｂと、小径部４ｃに外嵌される可動フード５の外周面部（円弧状部分）を同一外径又は略同一外径に形成する必要性はない。
【図面の簡単な説明】
【００２３】
【図１】リールシートにリール脚を取り付けた状態を示す縦断側面図
【図２】図１に示す状態からナット体を締めこんで、可動フードをコマ部材に対してスライド移動させて、可動フードの先端を段差部に当接させた状態を示す側面図
【図３】図２におけるIII−III線断面図
【符号の説明】
【００２４】
２      リールシート
３      固定フード（フード）
４      シートベース
４ａ    リール脚載置部
４ｄ    段差部
５      可動フード（フード）
７      リール脚
８      コマ部材
９      付勢バネ（付勢手段）
【図１】
2009296989.tif 000003
【図２】
2009296989.tif 000004
【図３】
2009296989.tif 000005